(57)【要約】  液体貨物を運ぶ海の船は、液体貨物を運ぶ複数のタンクと、下にあるタンクの上にあり甲板にあるスロット開口部を介して下にあるタンクと結合し、流体連通している、複数のガス拡張トランクを含む。各ガス拡張トランクは、結合しているタンクの上の船の甲板の一部に固定して配置され、甲板のスロットされた開口部の全てを囲んでいるトランクの周囲の甲板と耐流体関係にある。船の特性によって、拡張トランクはタンクの真上であって、そしてタンクの利用可能な最も高い部分、そして可能な限り船の前方側に配置されるのが望ましい。また、障害に関わる制約、及び船舶の状態により、トランクはタンク上の船尾側や中間のような別の場所に配置される。ガス拡張トランクは、存在している船に後から取り付けられたり、新造船の構成に組み込まれたりするのに適している。【選択図】  図１
2007537907.tif 000002
【特許請求の範囲】
【請求項１】
甲板プレートの下方に配置された複数の分離液体貨物タンクを有する海洋船舶において、
通常、船の基線上に最も高い部分を有し、少なくとも甲板プレートの一部が分離液体貨物タンク上に位置すると共に、船の基線上に利用可能な最も高い部分を有する分離液体貨物タンクと、
前記甲板プレートになされた、船の基線上の最も高い部分に十分に近いところに、その下の個々の分離液体貨物タンクと連通する、複数の開口部を構成する改造部と、
前記甲板プレートと前記開口部上に配置された、分離拡張トランクと、を備え、
前記分離拡張トランクは、前記甲板プレート及び分離液体貨物タンク上の前記甲板プレートにある前記複数の開口部の周縁部と耐流体（ｆｌｕｉｄ−ｔｉｇｈｔ）関係とすることで、その下にある分離液体貨物タンク内の貨物に貢献する拡張スペースを形成し、
前記分離拡張トランクは、分離液体貨物タンクの気体排出のためのパイプラインと流体連通（ｆｌｕｉｄ  ｃｏｍｍｕｎｉｃａｔｉｏｎ）していること、を特徴とする、海洋船舶。
【請求項２】
前記分離拡張トランクは、その下にある個々の分離液体貨物タンクの真上であって、そして可能な限り船の前方側に配置されていることを特徴とする、請求項１に記載の船舶。
【請求項３】
前記複数の開口部は、分離液体貨物タンク最大積載率の２００％を積み込んだときに、前記甲板プレートの、裏面側である分離液体貨物タンク側の側面と、分離拡張トランク側の側面との間の圧力差がおよそ０．５ポンド／平方インチ未満となるように十分な面積を有する開口部を提供するように構成されたスロットであることを特徴とする、請求項１に記載の船舶。
【請求項４】
前記スロットは、およそ２ｃｍ〜３ｃｍの幅であると共に甲板プレートのおよそ半分の長さであることを特徴とする、請求項２に記載の船舶。
【請求項５】
前記分離拡張トランクは、その下にある液体貨物輸送のための分離液体貨物タンクの容積の少なくとも２％の内部容積を有していることを特徴とする、請求項１に記載の船舶。
【請求項６】
甲板の前記開口部は、一つ以上の甲板プレートに配置されていることを特徴とする、請求項１に記載の船舶。
【請求項７】
前記甲板プレートの前記開口部は、結合している分離液体貨物タンクの真上であって、そして可能な限り船尾側に位置していることを特徴とする、請求項１に記載の船舶。
【請求項８】
前記分離拡張トランクは、縦１０ｍ〜４０ｍ、横５ｍ〜１５ｍ、高さ２ｍ〜３ｍの寸法を有していることを特徴とする、請求項１に記載の船舶。
【請求項９】
海洋船舶の甲板プレートの下に配置された複数の分離液体貨物タンクを構成する、輸送のための流体貯蔵システムであって、
その下にある分離液体貨物タンクと連通する複数の開口部が設けられている、分離液体貨物タンクの上に位置する甲板プレートの一部分と、
甲板プレート及び分離液体貨物タンク上の甲板プレートにある前記複数の開口部の周縁部と耐流体（ｆｌｕｉｄ−ｔｉｇｈｔ）関係にあるため、その下にある分離流体貨物タンクの中の貨物に貢献する拡張スペースを形成する分離拡張トランクと、を備え、
前記拡張トランクは、分離液体貨物タンクの気体排出のためのパイプラインを含み、そして、液体貨物貯蔵のための拡張スペースの船の規定を満たすために必要な容積を少なくとも確保すること、を特徴とする、輸送のための流体貯蔵システム。
【請求項１０】
前記流体貨物貯蔵のための前記分離拡張トランク各々の前記拡張スペースは、流体貨物貯蔵として使用する甲板下のスペースの合計の少なくとも約２％であることを特徴とする、請求項９に記載のシステム。
【請求項１１】
前記分離拡張トランクは、結合している分離液体貨物タンクの真上に、そして可能な限り船の前方側に配置されていることを特徴とする、請求項９に記載のシステム。
【請求項１２】
前記分離拡張トランクは、結合している分離液体貨物タンクの真上であって、そして可能な限り船尾側に配置されていることを特徴とする、請求項９に記載のシステム。
【請求項１３】
前記分離拡張トランクは、船の基線上にある結合している分離液体貨物タンク上の最も高い部分に配置されていることを特徴とする、請求項９に記載のシステム。
【請求項１４】
前記分離拡張トランクは、原油洗浄パイプラインを含み、一つ以上の取り外し可能な原油洗浄機械装置または据え付けられた原油洗浄機械装置が接続されるように構成されることを特徴とする、請求項９に記載のシステム。
【請求項１５】
前記分離拡張トランクは、少なくとも一つの側壁及び上壁を含み、前記側壁及び上壁はそれぞれ、内部側面を有し、前記内部側面は前記分離拡張トランクの一つ以上の主要な構造の部材を少なくとも実質的に使用していないことを特徴とする、請求項１４に記載のシステム。
【請求項１６】
前記開口部は、分離液体貨物タンク最大積載率の２００％を積み込んだときに、前記甲板プレートの裏面側である分離液体貨物タンク側の側面と、分離拡張トランク側の側面との間の圧力差がおよそ０．５ポンド・平方インチ未満となるように構成された細長いスロットであることを特徴とする、請求項９に記載のシステム。
【請求項１７】
前記スロットは、およそ２ｃｍ〜３ｃｍの幅であることを特徴とする、請求項１６に記載のシステム。
【請求項１８】
前記スロットは、およそ甲板プレートの半分の長さであることを特徴とする、請求項１６に記載のシステム。
【請求項１９】
前記分離拡張トランクは、縦１０ｍ〜４０ｍ、横５ｍ〜１５ｍ、高さ２ｍ〜３ｍの寸法を有していることを特徴とする、請求項９に記載のシステム。
【請求項２０】
前記分離拡張トランクは、別の気体排出ラインを含み、そして、結合している分離液体貨物タンクは、船の基線上に分離液体貨物タンクの最も高い部分を有し、前記別の気体排出ラインは船の基線上の分離液体貨物タンクの最も高い部分と流体連通（ｆｌｕｉｄ  ｃｏｍｍｕｎｉｃａｔｉｏｎ）していることを特徴とする、請求項９に記載のシステム。
【請求項２１】
甲板の甲板プレートの下に配置された複数の分離液体貨物タンクを包含する海洋船舶において、
分離液体貨物タンクは、船の基線上にある最も高い部分として甲板プレートの一部分を有しており、
個々の甲板プレートの上に配置された複数の分離拡張トランクと、
前記分離拡張トランクと流体連通（ｆｌｕｉｄ  ｃｏｍｍｕｎｉｃａｔｉｏｎ）する、船の基線上の最も高い部分に位置する分離液体貨物タンクの一部分と、を備え、
前記分離拡張トランクは、前記分離液体貨物タンク上の前記甲板プレートと耐流体（ｆｌｕｉｄ−ｔｉｇｈｔ）関係とすることで、その下にある分離液体貨物タンク内の貨物に貢献する拡張スペースを形成すると共に、前記分離拡張トランクは、分離液体貨物タンクの気体排出のためのパイプラインと流体連通（ｆｌｕｉｄ  ｃｏｍｍｕｎｉｃａｔｉｏｎ）することを特徴とする、海洋船舶。
【請求項２２】
前記分離拡張トランクが船舶の基線上にある最も高い部分に位置するタンクの一部分上に配置され、最も高い部分であるタンクの一部分は一つ以上の甲板プレートを含む構成において、
一つ以上の甲板プレートは、前記分離拡張トランクと甲板プレートとの前記耐流体（ｆｌｕｉｄ−ｔｉｇｈｔ）構造の周囲内に配置された、複数の細長いスロットを有すること、を特徴とする、請求項２１に記載の海洋船舶。
【請求項２３】
分離液体貨物タンクの上に前記分離拡張トランクが配置される構成において、
最も高い部分である分離液体貨物タンクの一部分は、前記分離拡張トランクと流体連通（ｆｌｕｉｄ  ｃｏｍｍｕｎｉｃａｔｉｏｎ）する別の気体排出ラインを含んでおり、
前記分離拡張トランクは、真下の結合している甲板プレートの複数の細長いスロットを介して、分離液体貨物タンクと流体連通（ｆｌｕｉｄ  ｃｏｍｍｕｎｉｃａｔｉｏｎ）していること、を特徴とする、請求項２１に記載の海洋船舶。
【請求項２４】
甲板のプレートの下に配置された複数の分離液体貨物タンクを有する海洋船舶において、
通常、船の基線上に最も高い部分を有し、少なくとも甲板プレートの一部は各分離液体貨物タンク上にあり、かつ、船の基線上にある最も高い部分に可能な限り近い部分にある分離液体貨物タンクと、
前記甲板プレートになされた、船の基線上の最も高い部分に十分に近いところに、その下の個々の分離液体貨物タンクと連通する、複数の開口部を構成する改造部と、
前記甲板プレート及び前記開口部の上に配置され、前記甲板プレート及び各タンク上の前記甲板プレートにある前記複数の開口部周縁部と耐流体（ｆｌｕｉｄ−ｔｉｇｈｔ）関係とすることで、その下にある各分離液体貨物タンクの中の貨物に貢献する拡張スペースを形成する分離拡張トランクと、を備えていることを特徴とする、海洋船舶。
【請求項２５】
前記分離拡張トランクは、分離液体貨物タンクの前方側部分の上に配置されることを特徴とする、請求項２４に記載の海洋船舶。
【発明の詳細な説明】
【技術分野】
【０００１】
本発明は、非常に大容量の原油輸送（ＶＬＣＣ）のような、液体貨物を運ぶ船舶の構造に関するものであり、特に、輸送の間の貨物拡張スペースを提供するための要件に関する。
【背景技術】
【０００２】
陸上資源による海洋汚染を防ぐための国際条約（ＭＡＲＰＯＬ）は、タンカーの実立方容積を大幅に減らす、場合によっては２０％から３０％減らす船舶のための要件を策定している。例えば、タンカーの容量は、ＭＡＲＰＯＬ条約付属書１，１３Ｆ＆Ｇの二重殻に関する要件の結果、２％から３％減少しており、また、熱膨張のために船舶の各タンクに２％のヘッドスペースを要求するＭＡＲＰＯＬ規則の結果、２％減少している。ＭＡＲＰＯＬは、そのような船舶のための多数の基準を設定しており、それらは、ＣＯＷとして共通して呼ばれる、原油洗浄の基準となっている。
【０００３】
石油が通常、容積で売られているのに対し、タンカーはそれらが運んでいる液体貨物の重さで運賃を得る。すなわち、仮に船の内部の体積（立方容積、若しくは単に容積）が増加すれば、その容量に対応する重さに従って増加した運賃収入を得ることができる。収入の増加は、立方メートルと、積荷の比重と、ドル換算の運賃との乗数で計算することができる。
【０００４】
多くの特許が炭化水素ガスの排出と流出防止システムを扱っているが、ＭＡＲＰＯＬ規則の結果としての船の立方容積の減少に関する課題及び解決には取り組んでいない。ヤマモトによる米国特許３，８５１，６１１号においては、船殻の下に柔軟性のある薄膜状の下方部分、及び剛性であるが、柔軟性のある、取付けられた上方部分を有している、低温液化ガスのタンカー船のためのタンクについて記述されている。上方部分と下方部分との間の耐流体接続は、甲板を介して保持される。
【０００５】
上方部分を含むヤマモトのタンクは、船全体の安定性を増やすため、液化ガスで満たされており、そして、液化ガスのためのさらなる空間を提供する。上方部分の断面積は、その減少された左右方向の断面積領域が区画により強調されるより小さな自由表面領域を有しているため、上方部分は、安定性の増加を提供する。しかしながら、ヤマモトは、甲板の上に配置される上方タンクの充填と、タンクの下方部分に対する、硬い上部中央部分の適応性のある変化を許すことを介して、液化ガスの重心が上がるため、船の不安定性を増加させる。ヤマモトは、薄膜状の下方タンクの上に主として配置される上方部分を有しているが、上方タンクの配置に関する理由や利点には取り組んでいない。
【０００６】
コンウェイの米国特許４，１４４，８２９号は、船の従来の加圧／減圧、を軽減する弁付き気体排出システムと、組み合わされた貨物区画へと下方に開いている拡張トランク（１９）とを利用することを含む、炭化水素ガスの排出のためのシステムを開示している。しかしながら、コンウェイの８２９号のｃｏｌ．３、４０−６０行を参照すると、隣接した積荷がバルブ２０とパイプ２１とにより接続されており、拡張トランクの有利な位置や、拡張トランクにより囲まれた容積については論じられていない。
【０００７】
コンウェイの米国特許４，２９２、９０９号においては、トランクラインは、石油製品の積載の間、溢れた超過分を受けとめるために構成される保持タンク（２１）と流体連通（Ｆｌｕｉｄ  ｃｏｍｍｕｎｉｃａｔｉｏｎ）する貨物拡張トランク（１６）を置くトランクラインについて開示されている。すなわち、コンウェイの９０９では、トランク（１６）を流出防止システムの一部として相互連結させているが、トランク（１６）の有利な配置、トランクによって囲まれた体積、若しくは原油洗浄のためのパイプラインの統合には取り組んでいない。
【０００８】
コンウェイの米国特許４、２３３、９２２号においては、流体化学製品及び石油製品によって作られた、汚染されたガスの含有と輸送のための、船の流体輸送システムについて開示されている。流体輸送システムは、組み合わされた貨物拡張トランクを置くこと、及び空いた気体排出ラインと縦方向に配置したトランク気体排出ラインとの流体連通（Ｆｌｕｉｄ  ｃｏｍｍｕｎｉｃａｔｉｏｎ）内にある各荷物区画へと下方へ開かれていることを含んでいる。コンウェイの９２２では、導管としてのトランクの利用の詳細について論じているが、ＭＡＲＰＯＬの拡張要件と比較した拡張トランクのサイズ、拡張トランクの有利な配置、若しくは、原油洗浄のための要件の統合については取り組んでいない。
【０００９】
甲板上部に設置されるガス拡張トランクを使用することにより２％ヘッドルーム拡張のためのＭＡＲＰＯＬの要件を満たし、かつ、原油洗浄のような他のＭＡＲＰＯＬの要件に適合する、海洋のタンカーの改良された貨物容積へのニーズが存在している。
【発明の開示】
【課題を解決するための手段】
【００１０】
海洋船舶は、甲板のプレートの下に配置された複数の分離液体貨物タンクを有する。複数のタンクのそれぞれの上に配置された甲板プレートの一部は、下のタンクと連通している複数の開口部を含む。分離拡張トランクは、前記甲板プレート及び各タンク上の前記甲板プレートにある前記複数の開口部の周縁部と耐流体関係にある。その拡張タンクは、その下にある各タンクの中の貨物に貢献する拡張スペースを形成する。その拡張トランクは、タンクからの気体排出のためのパイプライン及び原油洗浄機械装置のためのパイプラインと流体連通している。
【００１１】
拡張トランクは、タンクの上であって、そして船の前方側に配置されるのが望ましい。複数の開口部は、タンク最大積載率の２００％を積み込んだときに、前記甲板プレートの、裏面側であるタンク側の側面と、トランク側の側面との間の圧力差がおよそ０．５ｐｓｉ未満となるように十分な面積を有する開口部を提供するように構成されたスロットである。そのスロットは、およそ２〜３ｃｍ幅、及び、甲板プレートのおよそ半分の長さである。その拡張タンクは、流体貨物貯蔵として使用する甲板下のスペースの合計の、少なくとも約２％の内部容積を有している。そのスロットは、一つ以上の甲板プレートに設けられる。
【００１２】
甲板のプレートの下に配置された複数の分離液体貨物タンクを有する海洋船舶について開示される。少なくとも甲板プレートの一部は各タンクの上に配置され、そして、各タンクは船の基線上の最も高い部分を有している。少なくとも、甲板プレートの一部は各タンクの上にあり、各タンクは船の基線上にある最も高い部分を有している。本発明の改造部は前記甲板プレートにその下の個々のタンクと連通する複数の開口部を構成し、複数の開口部は船の基線上にあるタンクの上の利用可能な最も高い部分に十分に近い部分に設けられる。分離拡張トランクは、開口部の上の甲板プレートに配置され、トランクは甲板プレート及び各タンク上の前記甲板プレートにある前記複数の開口部の周縁部と耐流体関係にある。各タンクは、個々のタンクの中の貨物に貢献する拡張スペースを形成し、拡張トランクはタンクの気体排出のためのパイプラインと流体連通する。各拡張トランクは、その下にある個々のタンクの真上であって、そして可能な限り船の前方側に配置されるのが望ましい。さらに、複数の開口部は、タンク最大積載率の２００％を積み込んだときに、甲板プレートの、裏面側であるタンク側の側面と、トランク側の側面との間の圧力差がおよそ０．５ポンド・平方インチ未満となるように十分な面積を有する開口部を提供するように構成された、細長いスロットであるのが望ましい。そのスロットは、およそ２〜３ｃｍの幅と甲板プレートのおよそ半分の長さであるのが望ましく、そして、各拡張トランクは、その下の液体貨物貯蔵のための個々のタンクの容積の、少なくとも２％の内部容積を有することが望ましい。デッキの各開口部は、一つ以上の甲板プレートに設けられ、各結合しているタンクの真上かつ可能な限りタンク上の船尾側としてもよい。よりよい実施形態においては、前記トランクは、縦１０〜４０ｍ、横５〜１５ｍ、高さ２〜３ｍの寸法を有している。
【００１３】
また、海洋船舶の甲板プレートの下に配置された複数の分離液体貨物タンクを構成する、輸送のための流体貯蔵システムは開示され、各タンクの上に配置された甲板プレートには、その下にあるタンクと連通する複数の開口部が設けられている。分離拡張トランクは、甲板プレート及び各タンク上の甲板プレートにある複数の開口部の周縁部と耐流体関係にあり、その結果、その下にある各タンクの中の貨物に貢献する拡張スペースを形成する。
【００１４】
拡張トランクは、タンクの気体排出のためのパイプラインを含み、液体貨物貯蔵のための拡張スペースの船の規定を満たすために必要な容積を少なくとも確保する。流体貨物貯蔵のための各拡張トランクの拡張スペースは、流体貨物貯蔵として使用する甲板下のスペースの合計の少なくとも約２％であるのが望ましい。
【００１５】
さらに、各拡張トランクは、結合しているタンクの真上に、そして、可能な限り船の前方側に配置されていることが望ましいが、甲板の状態や船尾トリムまたは船首トリムのような、障害の状態によっては、各拡張トランクは結合しているタンクの真上に、そして、可能な限り船尾側に配置されていることが望ましく、若しくは、船の前方側と船尾側との間に配置されてもよい。各拡張トランクは、船の基線上にある、結合しているタンクの上の最も高いところに配置されていることが望ましく、そして、原油洗浄パイプラインを含み、一つ以上の取り外し可能な原油洗浄機械装置、または据え付けられる原油洗浄機械装置が接続されるように構成されることが望ましい。
【００１６】
ある好ましい実施形態においては、前記拡張トランクは、少なくとも一つの側壁及び上壁を含み、前記側壁及び上壁はそれぞれ、内部側面を有し、前記内側面は前記トランクの一つ以上の主要な構造の部材を少なくとも実質的に使用していない。開口部は、タンク最大積載率の２００％を積み込んだときに、前記甲板プレートの、裏面側であるタンク側の側面と、トランク側の側面との間の圧力差がおよそ０．５ポンド・平方インチ未満となるように構成された細長いスロットであることが望ましい。前記スロットは、およそ２〜３ｃｍ幅で、およそ甲板プレートの半分の長さであることが望ましい。
【００１７】
トランクは、縦１０〜４０ｍ、横５〜１５ｍ、高さ２〜３ｍの寸法を有していることが望ましく、そして、各トランクは、別の気体排出ラインを含むことが望ましい。結合しているタンクは、船の基線上にあるタンクの最も高い部分を有し、そして、前記別の気体排出ラインは船の基線上にある、タンクの最も高い部分と流体連通していることが望ましい。
【発明を実施するための最良の形態】
【００１８】
図１および図２は、船底を有する船殻と、舷側と、甲板７とを含む海洋船舶５（例えばタンカー）の平面図である。船殻には多数の分離されたタンク６が配置され、そして、甲板７及び船殻外部には、少なくとも一つのトランクが各タンク６と対応し、かつ、流体連通するように、多数のガス拡張トランク１０が配置されている。一重殻のタンカーと比較したときに少ない立方容積を有する二重殻タンカーにおいて、ガス拡張トランク１０がもっとも大きな利点に利用される一方で、そのようなガス拡張トランク１０は、液体貨物の拡張のためにスペースを割り当てることを必要とする船のアプリケーションの使用のために適用することができることは、理解されるべきである。
【００１９】
本発明の目的は、上記の甲板トランク１０内で液体貨物の熱膨張に対応するためのスペースを形成することにより、甲板の下の２％以上の空間を甲板上で形成して、各タンク６を満たすこと（Ｔｏｐｐｉｎｇ  Ｏｆｆ）を可能とすることにある。
【００２０】
拡張トランク１０は、液体貨物の輸送中や積み込みの間に生成されるガスや蒸気と同様に、液体貨物自体の熱膨張にも対応するためのさらなるスペースの要求を満たすように構成される。トランク１０は、液体輸送の立方容積を増やし、その結果、ＭＡＲＰＯＬ規則への適合を保持しつつ、タンカーのコストパフォーマンスを向上させる。
【００２１】
図３から図５に示すように、タンク６に対応する各トランク１０の配置は、意図されたアプリケーションや、甲板上の利用可能なスペース、例えば、船の特性に応じた、により変化する。トランク１０は、存在している配管や、導管や、係留装置を動かしたり遮断したりする必要がないために、船舶の基線上の利用可能な最も高い部分やタンク６の部分に配置されるのが望ましい。甲板７は、しばしば、タンク６と同じ空間を占有したり、及び／または、タンク６の一部を形成したり、及び／または、タンク６と平行したりし、そして、タンク６と、及び／または、タンク６の最も高い部分と定義される甲板７にチャンバーを有していることが望ましい。この‘‘最も高い部分’’は、例えば、船５の構成と船５内のタンク６の配置により、タンク６の船の前方から船尾のセンターラインや、タンク６の側部や、タンク６上の甲板７の角部とすることができる（図７から９参照）。
【００２２】
船舶５は通常、より航海に向いて効果的なわずかな船尾の重心を保つために、船尾トリム（言い換えれば、船首アップ）の状態で貨物を積み、輸送するため、船舶５の基線上にあるタンク６の最も高い部分は、通常、可能な限り船前方側に寄る。例えば、船首アップにより、船は最も効果的に水を切って進むことができる。最前側及び最船尾側という言葉は、ここでは、船の特性に従った船上の制約の範囲で、可能な限り船の前方側、及び可能な限り船尾側という意味で使用される。
【００２３】
図３から５に示すように、存在しているタンク６のための気体排出パイプライン９は、トランク１０と一体化して突出するようにすることができ、改造されてトランク１０と一体化されたり、本発明を表すオリジナルデザインに組み込まれたりする。
【００２４】
ガス拡張トランクは、耐流体（Ｆｌｕｉｄ−ｔｉｇｈｔ）構造を示す１つまたは複数の壁２０、及び／または、最高部４０を含むことが望ましい。一般的に明らかな技術の一つとして、トランク１０の外部構造は、垂直な壁２０と水平な平面の最高部４０と同様に、側壁２０に当たったときの波の側面からの力を弱めるために、例えば、傾斜させたり、曲線を成したり、円錐状にしたり、ドーム型にすることができる。存在している気体排出ライン９は、トランク１０や外部の空気と、業界において知られている、チェックバルブのような、一つ以上のバルブを介して流体連通している。
【００２５】
トランク１０はまた、ＭＡＲＰＯＬの要件を満たすために、ＣＯＷライン５０、及び／または、ＣＯＷ機械装置５２（図３の流体連通に示す）を含むようにすることができる。ある好ましい実施形態においては、壁２０や最高部４０は、壁や、甲板や、最高部の一部がＣＯＷ機械装置からの直接的な衝撃や、噴流偏向や、スプラッシングから保護されていないようにするために、大きく主要な構造上の部材やそれらの相当物による遮断は最小化されている、内側面を有する。これによりＣＯＷのために必要となる、時間と機械装置の数を減らすことができる。拡張トランク１０は、タンカー５の甲板７での使用に適してる素材によりつくられることができるが、船の甲板７と同じ素材でつくられるのが望ましく、トランク１０の構造上、海からの衝撃の力に耐えるように的確に強化される。
【００２６】
再び図３から図５に示すように、タンク６のサイズに合わせて、拡張トランク１０は、例えば、長さ１０〜４０ｍと、幅５〜１５ｍと、高さ２〜３ｍとにすることができる。
【００２７】
各トランク１０は、貢献するタンク６の上部に接している甲板７に直接構築される。そのため、タンク６の運搬できる液体貨物容積は、約２％、あるいは、およそ１００立方メートルから１，８００立方メートルの間で安全に増加させることが可能である。さらに、この改良により、船５全体の運搬できる液体容量は、ほぼ２％、あるいは、３５０，０００立方メートル強の３００，０００重量トンタンカー当たりおよそ７０００トン増加する。
【００２８】
もう一度、図１から図５に示すように、拡張タンク１０により囲まれた甲板７のプレートには、存在しているタンク６と、重なって結合している拡張トランク１０との間の自由な流体連通を可能とするために、十分な数のスロット１５がカットされている。スロット１５は、船の安定性及びトリムに関する等級協会規定に従い、拡張トランク１０により囲まれる、十分に多数の甲板７のプレートの甲板７の縦材１６間でカットされる。スロット１５のサイズ及び処理は、甲板７のプレートの強度ロスが最小となるように構成され、そして、通常、プレートの長さの約二分の一となる、２ｃｍから３ｃｍの幅である。すべての甲板７のプレートにスロットが設けられる必要はないが、タンク６の最大積載率の２００％を積み込んだときに、甲板７の裏面側の側面との違いが０．５ｐｓｉ未満となるように、十分な数のスロットが提供される。スロット１５は、ここで示されているタンク６と対応しているトランク１０との間の流体輸送率を可能とする、寸法上別の形の開口部に置き換えることができる。
【００２９】
図６に示すように、船舶のための要件の複雑性と、甲板７の利用可能な限られれたスペースのために、トランク１０は、タンク６の上にある甲板の別の場所、例えば、タンク６上の可能な限り船尾側に配置することができる。トランク１０の別の配置は、たまったガスをタンク６の最も高いところからトランク１０へと、そして、大気中へと気体を排出するために、タンク６の最も高いところとトランク１０の間とでタンク６と接続する別の気体排出パイプライン１３を、さらに含むことができる。この構成においては、トランク１０を、船尾側の別の配置にすることにより、船尾トリムへの船尾重量分配がわずかに増加する。図４および図５に示すように、各トランク６には、存在している気体排出ライン９からの液体を防ぐために逆流防止バルブ１１が含まれる気体排出ライン９が取り付けられる。バルブ１１は、トランク１０と、タンク６とからの気体の排出を選択的に制御するためにもまた、使用することができる。
【００３０】
図６から図９に示すように、船によっては、積み込みの間や積み下ろしの間の低速で航行しているときのような多くの場合に、船尾トリムを維持することが難しいことが分かっている。これらの場合、タンク６の最も高い部分は、タンク６上のトランク１０の別の位置となる。甲板スペースの限界と、上記の船尾トリムの維持の困難性の例とから、トランク１０の位置は、一つのタンク上にトランク１０の、一つ以上の組合せを含むことができる。ひとつのタンク上のトランク１０のこれらの配置は、例えば、別の気体排出パイプライン１３を使用して流体連通する２つ以上のトランク１０を含むことができる（図６）。それは、タンク６の最も高い部分の気体を、タンク６の最も高い部分から、タンク６の最も高い部分から、トランク１０と連通しているタンク６の別の最も高いところへとつながっている、別の気体排出パイプライン１３へ強制的に入れるために液体貨物圧を使用する（図６及び７参照）；そして、第１のタンクは可能な限り船の前方側とし、第２のタンクは可能な限り船尾側とする。
【００３１】
拡張トランク１０は、連続した作業の中で構築されるが、好ましい実施形態においては、まず最初に、縦材サポート１６間の甲板７の存在しているプレートにスロット１５をカット、若しくはスロッティングし、そして、甲板と耐流体（ｆｌｕｉｄ−ｔｉｇｈｔ）関係にあるスロット１５の周りに拡張タンク１０が導入されることにより構築されることがある。また、スロット１５は、一つ以上の壁２０や最高部４０の位置決めの後に、甲板７がカットされるようにすることもできる。
【００３２】
一般的に明らかな技術の一つとして、船の改造や新造は、長さと安定性のための等級協会規定に従わなくてはならない。各構成交替は、導入に先立って、認可のために船の等級協会に提出されなければならない。規定は、船の登録された載荷重量以上の貨物を運ぶことを許していないが、本発明の採用により、船の存在している登録された載荷重量の１００％の積み込みが可能となる。
【００３３】
例えば、存在するタンカー５に後から取り付けられた拡張タンク１０は、存在しているパイプや、導管や、構造物を避けるため、そして構造上の変更を最小にするために甲板７上に配置される。必要に応じて、存在している船の内部ガス（ＩＧ）ラインを介する気体排出とライザーは、タンク６からの気体排出がトランク１０の外部に位置する存在する船具を介してよりも、拡張トランク１０を介してのほうが多くなるので、変更される。加えて、原油洗浄（ＣＯＷ）パイプ５０と機械装置５２は、等級協会の要件と、トリムと安定性の基準とを満たすために、ラインに後から取り付けられなければならず、そして、原油洗浄（ＣＯＷ）パイプ５０と機械装置５２は、加えたスペースと甲板構造物を含めるために再計算されなければならない。この構築の形態は、等級協会の要件に、可能な限り最大限従わなければならない。
【００３４】
図１から図６に示すように、運用に関して、タンク６は甲板上部を占めることにより取り付けられているガス拡張トランク１０を有するので、積み込める限界まで各タンク６の容量を最大限にすることができる。船の船尾トリムのために、タンクの最も高い部分は、トランク１０が配置されるのが望ましいタンク６の前方部分となる。タンク６のための存在している気体排出ライン９は、気体を外部へ排出するために、トランク１０を通り、トランク１０と流体連通する。スロット１５は、液体製品を最大積載率の２００％を積み込んだときにトランク１０とタンク６間の圧力格差が０．５ｐｓｉ未満となるように、配置され、構成される。
【００３５】
タンク６への積み込みの後、液体貨物船５は、タンク６内の液体製品の最大比率の積荷を輸送する。輸送先の港への到着により、タンク６の貨物は、スロット１５の構成のために圧力差を最小にして、下ろされる。
【００３６】
積み下ろしの後、一つ以上のＣＯＷ機械装置５２は、規定により必要とされているトランク１０の内部を清掃するのに使われる。トランク１０はまた、トランク１０の物理的な点検とメンテナンスのための一つ以上のハッチを、トランク１０、及び／または、壁２０、または、最高部４０の中のデッキ７で含む。
【００３７】
本発明は、新造の、及び存在しているすべてのタンカー５に提供されるものであり、これは失われた容積の回収に関するＭＡＲＰＯＬ構成規定に従っている。利点の一つとして、貨物を積むためのさらなるスペースを有することにより、積荷の収益が増加することが挙げられる。例えば、存在する世界のタンカー船団の輸送できる量の２％の増加により、来るべき数十年の間に必要なＶＬＣＣの数は減少する。それゆえに、世界の石油に対する需要を満たすために必要なタンカー５の数も増加による環境への影響も減少する。
【００３８】
さらにまた、本発明に従った増加は、原油の輸送コストは約２．５％削減すると推定される。そのようなコストの減少は、２，０００，０００バレル当たりおよそ５０，０００バレルを無料で輸送できるに等しいと、換算することができる。
【００３９】
開示した好ましい実施形態への言及によって本発明を明らかにしたことから、特許請求の範囲により限定のみされる、発明の範囲と精神から離れることなく、様々な変更と修正がされうることは、当業者にとって明らかである。例えば、タンク６、トランク１０、スロット１５、存在する気体排出口９、別の気体排出口１３、ＣＯＷライン５０、ＣＯＷ機械装置５２のような、多くの要素のサイズや形は、それら個々の配置と同様に、発明を材料的に変更することなく、修正されうる。また、トランク１０の材料は、甲板７の材料に限られない。さらにまた、本発明のトランク１０は、液体輸送用の荷船（ｌｉｑｕｉｄ  ｃａｒｒｙｉｎｇ  ｂａｒｇｅｓ）やより小さなタンカー船舶５のような、他の船舶にも使用することができる。最後に、個々のタンクに関するトランクの位置は、船舶の甲板の状態やトリム状態における障害状態、例えば、船尾トリムや船首トリム、により変わりうる。これらの理由や他の理由により、示し、記述した本実施形態は一例に過ぎず、限定されない。
【図面の簡単な説明】
【００４０】
【図１】本発明により構成された液体貨物船舶の平面図であり、甲板は複数のタンク上に位置し、各トランクが各タンクの真上にあり、かつ、各タンクの上においてできる限り船の前方に位置するように、タンクの上にあたる甲板上に、複数のガス拡張トランクが配置されている。
【図２】図１の船舶の立面図であり、複数のガス拡張トランクが、液体貨物船の甲板の上に配置されていることを示すものである。
【図３】図示するために取り外された、ガス拡張タンク１０を備える液体タンクの平面図であり、タンクの上方の、可能な限り船の前方側に配置されている甲板にスロットがあることを示している。
【図４】タンク上の、可能な限り船の前方側にガス拡張トランクが配置されている、図３のタンクの立面図である。
【図５】図３の５−５に沿った図３のタンクの後立面図であり、ガス拡張タンクがタンクの前方かつセンターライン上にあり、タンクはセンターラインを頂点とする反りを有している。
【図６】本発明により構成された液体貨物船舶の別の実施形態の平面図であり、船舶の甲板の下に配置された複数のタンクと、各トランクがタンクの真上にあり、各タンク上で可能な限り船尾側に位置するように、タンクの上の甲板に配置されている複数のトランクとを有する。
【図７】図示するために取り外された、トランクの最高部を含む船尾側に配置されたガス拡張トランクを含む図６のタンクの一つの平面図であり、甲板にあるスロットと、別の気体排出ラインが示されている。
【図８】図６の船のあるタンクの他の別の実施形態の立面図であり、タンクの可能な限りの船尾側に設置されたガス拡張トランクは、タンクの可能な限り前方側に配置された第２のトランクと流体連通している。
【図９】図７の９−９に沿った図７の後面図であり、ガス拡張タンクは可能な限りの船尾側に設置され、基線上にタンクの最も高い部分の一つがあり、タンクはタンクの右舷側を頂点とする反りを有している。
【図１】
2007537907.tif 000003
【図２】
2007537907.tif 000004
【図３】
2007537907.tif 000005
【図４】
2007537907.tif 000006
【図５】
2007537907.tif 000007
【図６】
2007537907.tif 000008
【図７】
2007537907.tif 000009
【図８】
2007537907.tif 000010
【図９】
2007537907.tif 000011
【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
甲板プレートの下方に配置された複数の分離液体貨物タンクを有する海洋船舶において、
通常、船の基線上に最も高い部分を有し、少なくとも甲板プレートの一部が分離液体貨物タンク上に位置すると共に、船の基線上に利用可能な最も高い部分を有する分離液体貨物タンクと、
前記甲板プレートになされた、船の基線上の最も高い部分に十分に近いところに、その下の個々の分離液体貨物タンクと連通する、複数の開口部を構成する改造部と、
前記甲板プレートと前記開口部上に配置された、分離拡張トランクと、を備え、
前記分離拡張トランクは、前記甲板プレート及び分離液体貨物タンク上の前記甲板プレートにある前記複数の開口部の周縁部と耐液体（ｌｉｑｕｉｄ−ｔｉｇｈｔ）関係とすることで、その下にある分離液体貨物タンク内の液体貨物に貢献する拡張スペースを形成し、
前記分離拡張トランクは、分離液体貨物タンクの気体排出のためのパイプラインと液体連通（ｌｉｑｕｉｄ  ｃｏｍｍｕｎｉｃａｔｉｏｎ）していること、を特徴とする、海洋船舶。
【請求項２】
前記分離拡張トランクは、その下にある個々の分離液体貨物タンクの真上であって、そして可能な限り船の前方側に配置されていることを特徴とする、請求項１に記載の船舶。
【請求項３】
前記複数の開口部は、分離液体貨物タンク最大積載率の２００％を積み込んだときに、前記甲板プレートの、裏面側である分離液体貨物タンク側の側面と、分離拡張トランク側の側面との間の圧力差がおよそ０．５ポンド／平方インチ未満となるように十分な面積を有する開口部を提供するように構成されたスロットであることを特徴とする、請求項１に記載の船舶。
【請求項４】
前記スロットは、およそ２ｃｍ〜３ｃｍの幅であると共に甲板プレートのおよそ半分の長さであることを特徴とする、請求項２に記載の船舶。
【請求項５】
前記分離拡張トランクは、その下にある液体貨物輸送のための分離液体貨物タンクの容積の少なくとも２％の内部容積を有していることを特徴とする、請求項１に記載の船舶。
【請求項６】
甲板の前記開口部は、一つ以上の甲板プレートに配置されていることを特徴とする、請求項１に記載の船舶。
【請求項７】
前記甲板プレートの前記開口部は、結合している分離液体貨物タンクの真上であって、そして可能な限り船尾側に位置していることを特徴とする、請求項１に記載の船舶。
【請求項８】
前記分離拡張トランクは、縦１０ｍ〜４０ｍ、横５ｍ〜１５ｍ、高さ２ｍ〜３ｍの寸法を有していることを特徴とする、請求項１に記載の船舶。
【請求項９】
海洋船舶の甲板プレートの下に配置された複数の分離流体貨物タンクを構成する、輸送のための流体貯蔵システムであって、
その下にある分離液体貨物タンクと連通する複数の開口部が設けられている、分離液体貨物タンクの上に位置する甲板プレートの一部分と、
甲板プレート及び分離液体貨物タンク上の甲板プレートにある前記複数の開口部の周縁部と耐液体（ｌｉｑｕｉｄ−ｔｉｇｈｔ）関係にあるため、その下にある分離液体貨物タンクの中の液体貨物に貢献する拡張スペースを形成する分離拡張トランクと、を備え、
前記拡張トランクは、分離液体貨物タンクの気体排出のためのパイプラインを含み、そして、液体貨物貯蔵のための拡張スペースの船の規定を満たすために必要な容積を少なくとも確保すること、を特徴とする、輸送のための液体貯蔵システム。
【請求項１０】
前記液体貨物貯蔵のための前記分離拡張トランク各々の前記拡張スペースは、液体貨物貯蔵として使用する甲板下のスペースの合計の少なくとも約２％であることを特徴とする、請求項９に記載のシステム。
【請求項１１】
前記分離拡張トランクは、結合している分離液体貨物タンクの真上に、そして可能な限り船の前方側に配置されていることを特徴とする、請求項９に記載のシステム。
【請求項１２】
前記分離拡張トランクは、結合している分離液体貨物タンクの真上であって、そして可能な限り船尾側に配置されていることを特徴とする、請求項９に記載のシステム。
【請求項１３】
前記分離拡張トランクは、船の基線上にある結合している分離液体貨物タンク上の最も高い部分に配置されていることを特徴とする、請求項９に記載のシステム。
【請求項１４】
前記分離拡張トランクは、原油洗浄パイプラインを含み、一つ以上の取り外し可能な原油洗浄機械装置または据え付けられた原油洗浄機械装置が接続されるように構成されることを特徴とする、請求項９に記載のシステム。
【請求項１５】
前記分離拡張トランクは、少なくとも一つの側壁及び上壁を含み、前記側壁及び上壁はそれぞれ、内部側面を有し、前記内部側面は前記分離拡張トランクの一つ以上の主要な構造の部材を少なくとも実質的に使用していないことを特徴とする、請求項１４に記載のシステム。
【請求項１６】
前記開口部は、分離液体貨物タンク最大積載率の２００％を積み込んだときに、前記甲板プレートの裏面側である分離液体貨物タンク側の側面と、分離拡張トランク側の側面との間の圧力差がおよそ０．５ポンド・平方インチ未満となるように構成された細長いスロットであることを特徴とする、請求項９に記載のシステム。
【請求項１７】
前記スロットは、およそ２ｃｍ〜３ｃｍの幅であることを特徴とする、請求項１６に記載のシステム。
【請求項１８】
前記スロットは、およそ甲板プレートの半分の長さであることを特徴とする、請求項１６に記載のシステム。
【請求項１９】
前記分離拡張トランクは、縦１０ｍ〜４０ｍ、横５ｍ〜１５ｍ、高さ２ｍ〜３ｍの寸法を有していることを特徴とする、請求項９に記載のシステム。
【請求項２０】
前記分離拡張トランクは、別の気体排出ラインを含み、そして、結合している分離液体貨物タンクは、船の基線上に分離液体貨物タンクの最も高い部分を有し、前記別の気体排出ラインは船の基線上の分離液体貨物タンクの最も高い部分と液体連通（ｌｉｑｕｉｄ  ｃｏｍｍｕｎｉｃａｔｉｏｎ）していることを特徴とする、請求項９に記載のシステム。
【請求項２１】
甲板の甲板プレートの下に配置された複数の分離液体貨物タンクを包含する海洋船舶において、
分離液体貨物タンクは、船の基線上にある最も高い部分として甲板プレートの一部分を有しており、
個々の甲板プレートの上に配置された複数の分離拡張トランクと、
前記分離拡張トランクと液体連通（ｌｉｑｕｉｄ  ｃｏｍｍｕｎｉｃａｔｉｏｎ）する、船の基線上の最も高い部分に位置する分離液体貨物タンクの一部分と、を備え、
前記分離拡張トランクは、前記分離液体貨物タンク上の前記甲板プレートと耐液体（ｌｉｑｕｉｄ−ｔｉｇｈｔ）関係とすることで、その下にある分離液体貨物タンク内の貨物に貢献する拡張スペースを形成すると共に、前記分離拡張トランクは、分離液体貨物タンクの気体排出のためのパイプラインと液体連通（ｌｉｑｕｉｄ  ｃｏｍｍｕｎｉｃａｔｉｏｎ）することを特徴とする、海洋船舶。
【請求項２２】
前記分離拡張トランクが船舶の基線上にある最も高い部分に位置するタンクの一部分上に配置され、最も高い部分であるタンクの一部分は一つ以上の甲板プレートを含む構成において、
一つ以上の甲板プレートは、前記分離拡張トランクと甲板プレートとの前記耐液体（ｌｉｑｕｉｄ−ｔｉｇｈｔ）構造の周囲内に配置された、複数の細長いスロットを有すること、を特徴とする、請求項２１に記載の海洋船舶。
【請求項２３】
分離液体貨物タンクの上に前記分離拡張トランクが配置される構成において、
最も高い部分である分離液体貨物タンクの一部分は、前記分離拡張トランクと液体連通（ｌｉｑｕｉｄ  ｃｏｍｍｕｎｉｃａｔｉｏｎ）する別の気体排出ラインを含んでおり、
前記分離拡張トランクは、真下の結合している甲板プレートの複数の細長いスロットを介して、分離液体貨物タンクと液体連通（ｌｉｑｕｉｄ  ｃｏｍｍｕｎｉｃａｔｉｏｎ）していること、を特徴とする、請求項２１に記載の海洋船舶。
【請求項２４】
甲板のプレートの下に配置された複数の分離液体貨物タンクを有する海洋船舶において、
通常、船の基線上に最も高い部分を有し、少なくとも甲板プレートの一部は各分離液体貨物タンク上にあり、かつ、船の基線上にある最も高い部分に可能な限り近い部分にある分離液体貨物タンクと、
前記甲板プレートになされた、船の基線上の最も高い部分に十分に近いところに、その下の個々の分離液体貨物タンクと連通する、複数の開口部を構成する改造部と、
前記甲板プレート及び前記開口部の上に配置され、前記甲板プレート及び各タンク上の前記甲板プレートにある前記複数の開口部周縁部と耐液体（ｌｉｑｕｉｄ−ｔｉｇｈｔ）関係とすることで、その下にある各分離液体貨物タンクの中の貨物に貢献する拡張スペースを形成する分離拡張トランクと、を備えていることを特徴とする、海洋船舶。
【請求項２５】
前記分離拡張トランクは、分離液体貨物タンクの前方側部分の上に配置されることを特徴とする、請求項２４に記載の海洋船舶。
【請求項２６】
甲板のプレートの下に配置された複数の分離液体貨物タンクを有する海洋船舶において、
通常、船の基線上に最も高い部分を有し、少なくとも甲板プレートの一部が分離液体貨物タンク上に位置すると共に、船の基線上に利用可能な最も高い部分を有する分離液体貨物タンクと、
前記甲板プレートになされた、船の基線上の最も高い部分に十分に近いところに、その下の個々の分離液体貨物タンクと連通する、複数の開口部を構成する改造部と、を備え、
前記複数の開口部は、船の基線上の最も高い部分に十分に近いところに配置されていると共に、
前記甲板プレート上及び前記開口部の上に配置される少なくとも２つ以上の分離拡張トランクを備え、
前記分離拡張トランクは、前記甲板プレート及び分離液体貨物タンク上の前記甲板プレートにある前記複数の開口部の周縁部と耐液体（ｌｉｑｕｉｄ−ｔｉｇｈｔ）関係とすることで、その下にある分離液体貨物タンク内の貨物に貢献する拡張スペースを形成し、
前記分離拡張トランクは、分離液体貨物タンクの気体排出のためのパイプラインと液体連通（ｌｉｑｕｉｄ  ｃｏｍｍｕｎｉｃａｔｉｏｎ）していること、を特徴とする、海洋船舶。
【国際調査報告】
2007537907.tif 000012
2007537907.tif 000013